(57)【要約】【課題】電池への充電を行うことなく省電力モードから復帰して表示部の表示内容の変更が行える期限である復帰可能期限を表示部に表示可能な情報表示装置を提供すること。【解決手段】表示部と、電源として用いられる電池の残量を検出する電池残量検出部と、省電力モード時において消費する電力の情報を記憶する電力情報記憶部と、前記省電力モード時に移行するときに、前記電池の残量の情報と前記電力の情報とに基づいて、省電力モードからの復帰可能期限を予測する予測部と、前記予測部で予測した復帰可能期限を前記表示部に表示させる表示処理部と、を備えた情報表示装置とした。【選択図】図２
2011033845.tif 000002
【特許請求の範囲】
【請求項１】
表示部と、
電源として用いられる電池の残量を検出する電池残量検出部と、
省電力モード時において消費する電力の情報を記憶する電力情報記憶部と、
前記省電力モード時に移行するときに、前記電池の残量の情報と前記電力の情報とに基づいて、省電力モードからの復帰可能期限を予測する予測部と、
前記予測部で予測した前記復帰可能期限を前記表示部に表示させる表示処理部と、を備えたことを特徴とする情報表示装置。
【請求項２】
前記表示部は、電源からの電力供給が断たれたときでも表示状態を維持する表示部であり、
前記表示処理部は、前記復帰可能期限を前記表示部に表示させた後に、前記表示部への電源供給を停止して前記省電力モードへ移行することによって、前記省電力モードにおいても前記表示部において前記復帰可能期限の表示を維持させることを特徴とする請求項１に記載の情報表示装置。
【請求項３】
前記省電力モードには、消費電力が異なる複数のモードを含み、
前記電力情報記憶部は、前記各モードの消費電力の情報を記憶し、
前記予測部は、前記各モードの消費電力の情報と前記電池の残量の情報とに基づいて、前記復帰可能期限を予測することを特徴とする請求項１又は２に記載の情報表示装置。
【請求項４】
前記予測部は、前記省電力モード時において前記復帰可能期限を予測し、
前記表示処理部は、前記表示部に表示する復帰可能期限を、前記省電力モード時において前記予測部が予測した復帰可能期限に更新することを特徴とする請求項２に記載の情報表示装置。
【請求項５】
前記予測部は、前記省電力モード時において定期的に前記復帰可能期限を予測し、
前記表示処理部は、前記省電力モード時において前記予測部が前記復帰可能期限を予測する度に、前記表示部に表示させる前記復帰可能期限を更新することを特徴とする請求項４に記載の情報表示装置。
【請求項６】
前記電池の温度を検出する温度検出部を備え、
前記予測部は、前記省電力モード時において前記温度検出部により検出した前記電池の温度又は温度変化が予め規定された条件を満たすときに前記復帰可能期限を予測し、
前記表示処理部は、前記省電力モード時において前記復帰可能期限を予測したときに、前記表示部に表示させる前記復帰可能期限を更新することを特徴とする請求項４に記載の情報表示装置。
【請求項７】
前記電池残量検出部は、前記電池の残量として前記電池の電圧を検出することを特徴とする請求項１〜６のいずれか１項に記載の情報表示装置。
【発明の詳細な説明】
【技術分野】
【０００１】
本発明は、情報表示装置に関し、詳しくは、電池への充電を行うことなく省電力モードから復帰して表示部の表示内容の変更が行える期限である復帰可能期限を表示部に表示可能な情報表示装置に関する。
【背景技術】
【０００２】
従来、電池により駆動して、表示パネルなどにおいて情報表示を行うことのできる情報表示装置が知られている（例えば、特許文献１参照）。
【０００３】
かかる情報表示装置において、通常モードと省電力モードとを有するものがある。利用者により電源オフ操作が行われた場合や、利用者による操作が一定期間行われなかった場合に、通常モードよりも消費電力の少ない省電力モードに移行する。
【先行技術文献】
【特許文献】
【０００４】
【特許文献１】特開２００５−１６４６７２号公報
【発明の概要】
【発明が解決しようとする課題】
【０００５】
しかし、上述した従来の情報表示装置は、省電力モード中であっても、自然放電や省電力モード中に起動中のデバイスへの電力供給により、電池残量は減少する。これにより、充電されないまま若しくは電池の交換がされないまま省電力モードでしばらく放置されると省電力モードから通常モードへ復帰できない場合があった。
【０００６】
本発明は、上述したような課題に鑑みてなされたものであり、省電力モードからの復帰可能期限を、省電力モード移行時に表示部に表示することができる情報表示装置を提供することを目的としている。
【課題を解決するための手段】
【０００７】
上記目的を達成するために、請求項１に係る発明は、表示部と、電源として用いられる電池の残量を検出する電池残量検出部と、省電力モード時において消費する電力の情報を記憶する電力情報記憶部と、前記省電力モード時に移行するときに、前記電池の残量の情報と前記電力の情報とに基づいて、省電力モードからの復帰可能期限を予測する予測部と、前記予測部で予測した前記復帰可能期限を前記表示部に表示させる表示処理部と、を備えた情報表示装置とした。
【０００８】
請求項２に係る発明は、請求項１に記載の情報表示装置において、前記表示部は、電源からの電力供給が断たれたときでも表示状態を維持する表示部であり、前記表示処理部は、前記復帰可能期限を前記表示部に表示させた後に、前記表示部への電源供給を停止して前記省電力モードへ移行することによって、前記省電力モードにおいても前記表示部において前記復帰可能期限の表示を維持させることを特徴とする。
【０００９】
請求項３に係る発明は、請求項１又は２に記載の情報表示装置において、前記省電力モードには、消費電力が異なる複数のモードを含み、前記電力情報記憶部は、前記各モードの消費電力の情報を記憶し、前記予測部は、前記各モードの消費電力の情報と前記電池の残量の情報とに基づいて、前記復帰可能期限を予測することを特徴とする。
【００１０】
請求項４に係る発明は、請求項２に記載の情報表示装置において、前記予測部は、前記省電力モード時において前記復帰可能期限を予測し、前記表示処理部は、前記表示部に表示する復帰可能期限を、前記省電力モード時において前記予測部が予測した復帰可能期限に更新することを特徴とする。
【００１１】
請求項５に係る発明は、請求項４に記載の情報表示装置において、前記予測部は、前記省電力モード時において定期的に前記復帰可能期限を予測し、前記表示処理部は、前記省電力モード時において前記予測部が前記復帰可能期限を予測する度に、前記表示部に表示させる前記復帰可能期限を更新することを特徴とする。
【００１２】
請求項６に係る発明は、請求項４に記載の情報表示装置において、前記電池の温度を検出する温度検出部を備え、前記予測部は、前記省電力モード時において前記温度検出部により検出した前記電池の温度又は温度変化が予め規定された条件を満たすときに前記復帰可能期限を予測し、前記表示処理部は、前記省電力モード時において前記復帰可能期限を予測したときに、前記表示部に表示させる前記復帰可能期限を更新することを特徴とする。
【００１３】
請求項７に係る発明は、請求項１〜６のいずれか１項に記載の情報表示装置において、前記電池残量検出部は、前記電池の残量として前記電池の電圧を検出することを特徴とする。
【発明の効果】
【００１４】
本発明によれば、電池への充電を行うことなく省電力モードから表示部の表示内容の変更が行える復帰可能期限を、省電力モード移行時に表示部に表示することができるため、ユーザは情報表示装置の復帰可能期限を知ることができる。したがって、当該情報表示装置を長期間放置しておいた後に使用しようとしも起動しないような場合、電池切れで起動しないのか故障で起動しないのか判断する目安にすることができる。また、充電、もしくは、電池交換の目安にもなる。
【図面の簡単な説明】
【００１５】
【図１】本発明の一実施形態に係る情報表示装置の外観を示す説明図である。
【図２】同情報表示装置の表示部における復帰可能期限の表示態様を示す説明図である。
【図３】同情報表示装置の電気的構成を示す説明図である。
【図４】同情報表示装置の制御処理のメインフローを示す説明図である。
【図５】電池残量表示に応じた使用可能時間の算出方法の一例を示す説明図である。
【図６】電池特性を示すグラフである。
【図７】電池特性を示すグラフである。
【図８】省電力モードと消費電流との関係を示すテーブルの一例を示す説明図である。
【発明を実施するための形態】
【００１６】
以下、本発明の一実施形態を、図面を参照して説明する。
【００１７】
［１．情報表示装置の概要］
まず、図１〜図３を参照して、本実施形態の情報表示装置１の外観及び主な動作について説明する。
【００１８】
図１に示すように、情報表示装置１は、平面視略矩形形状の薄型の装置であり、その正面には略Ａ４サイズの大きさの不揮発性表示部２が設けられている。この不揮発性表示部２は、例えば、電気泳動表示パネル等からなり、所定の分散媒中に分散された帯電粒子を電気泳動させることにより表示を行うことができ、電力の供給が断たれた場合であっても、その表示を維持することができるという性質を有する。
【００１９】
なお、本実施形態においては、不揮発性表示部２を電気泳動表示パネルからなるものとして説明するが、これに限らず、電力の供給が断たれた場合であっても、その表示を維持することができる不揮発性表示パネルであればよく、例えば、光学異方性方式の表示素子（コレステリック液晶、強誘電性液晶など）を備えた表示パネル、粒子回転方式の表示素子を備えた表示パネル、粒子移動方式の表示素子を備えた表示パネルなども用いることもできる。また、不揮発性表示パネルに代えて、電力の供給が断たれた場合に表示を維持しない揮発性の表示パネルを使用してもよい。
【００２０】
また、情報表示装置１の下部には、充電可能な二次電池である電池７と、この電池７の左側方には、当該電池７を充電するための電源制御部１５が内蔵されている。そして、電源制御部１５の下方には、外部から電源制御部１５へ電力を供給するためにＡＣアダプタなどを接続する外部接続端子１８が設けられている。
【００２１】
また、電池７の右側方には、電池７の電圧を検出する電池電圧検出部２０が設けられている。この電池電圧検出部２０は、電池７の電圧を検出することで、電池７の電池容量の残量を検出する電池残量検出部としての機能を有するものである。
【００２２】
また、本実施形態における電池電圧検出部２０は、電池７の残量として電池７の電圧を検出する電池残量検出部として機能する。すなわち、電池７の電圧は電池７の残量と相関関係があり、電池電圧検出部２０は、電池７の電圧を電池７の残量として検出している。なお、以下においては、電池電圧検出部２０が検出した電池７の電圧を電池残量という場合がある。
【００２３】
充電可能な二次電池としては、例えば、ニッカド電池（ニッケルカドミウム電池）、ニッケル水素電池、リチウムイオン電池などがあるが、本実施形態においては、相対的に重量に応じた蓄電容量が大きく、安定した放電負荷特性を持つリチウムイオン電池を電池７として用いている。
【００２４】
また、不揮発性表示部２の右側部には、情報表示装置１の状態を示すＬＥＤ３と、操作部４が配置されている。操作部４には、電源ボタン５ａ、メニューボタン５ｂ、縮小ボタン５ｃ、拡大ボタン５ｄ、ページ送り次ボタン５ｆ，ページ送り前ボタン５ｇ，選択ボタン６（６ａ〜６ｍ）が含まれる。
【００２５】
なお、縮小ボタン５ｃ及び拡大ボタン５ｄは、例えば、不揮発性表示部２に表示されるページデータの文字の大きさを、ユーザが読み易い大きさに所定の段階（例えば、３段階）で任意に変更することを可能とするためのものである。
【００２６】
また、選択ボタン６（６ａ〜６ｍ）は、不揮発性表示部２に表示された画像の一部の領域をユーザが指定するためのものであり、不揮発性表示部２の右側縦縁に沿って列状に設けられている。そして、選択ボタン６ａ〜６ｍを、不揮発性表示部２の表示領域を縦方向に複数の領域に分割して形成された分割領域（ここでは１３の分割領域）のそれぞれに１対１で対応して割付けている。
【００２７】
不揮発性表示部２には、選択ボタン６ａ〜６ｍのそれぞれに対応させて、複数の電子書籍などのコンテンツの名称を表示するコンテンツ選択画面を表示可能である。情報表示装置１のユーザは、選択ボタン６ａ〜６のいずれかを押下して、不揮発性表示部２に表示させるコンテンツの選択、表示を行うことができる。なお、本実施形態の情報表示装置１で扱うことができる電子書籍などのコンテンツは、文字や図形などからなるドキュメントを表示させるためのデータファイル（以下、「ドキュメントファイル」と呼ぶ。）、写真、ＣＧなどのグラフィック画像を表示させるためのデータファイルなどから構成されるが、これに限られるものではない。なお、以下においては、説明を容易にするためにコンテンツがドキュメントファイルから構成されている場合を例に挙げて説明することとする。また、ドキュメントファイルには、不揮発性表示部２に表示するページ単位のデータとしてページデータがページ分だけ含まれている。
【００２８】
情報表示装置１の右側面には、後述するメモリカードＩ／Ｆ１６にメモリカード８を接続可能としている。このメモリカード８は、例えば、書き換え可能で、かつ電源を切ってもデータが消えない不揮発性の半導体メモリで構成された記憶媒体であり、複数の電子書籍のドキュメントファイルが記憶されたものである。そして、情報表示装置１は、メモリカード８に記憶されている複数の電子書籍のドキュメントファイルから、ユーザが選択した任意の電子書籍のドキュメントファイルをメモリカードＩ／Ｆ１６を介して読み込んで当該ドキュメントファイルに含まれるページデータを不揮発性表示部２に表示させて閲覧可能としている。
【００２９】
また、図３に示すように、情報表示装置１は、ＣＰＵ１０、ＲＯＭ１１、ＲＡＭ１２、ＥＥＰＲＯＭ１３を備えており、ＲＯＭ１１には情報表示装置１を動作させるプログラムが記憶され、ＥＥＰＲＯＭ１３には各種テーブルなどが記憶されている。各種テーブルには、例えば、後述する省電力モードとその時の消費電流とを関連付けたテーブルなどがある（図８参照）。すなわち、ＥＥＰＲＯＭ１３は、不揮発性表示部２への電力供給を停止して不揮発性表示部２の表示内容の変更を行わない省電力モード時において消費する電力の情報を記憶する電力情報記憶部としての機能を担っている。
【００３０】
そして、ＣＰＵ１０は、このプログラムをＲＯＭ１１から読み出して実行し、前記テーブルを参照することにより、装置全体の制御を行うとともに、省電力モード時に移行するときに、電池７の残量の情報と省電力モード時の消費電流とに基づいて、省電力モードからの復帰可能期限を予測する予測部、また、かかる予測部として機能して予測した復帰可能期限を表示部２に表示させる表示処理部として機能する。
【００３１】
また、本実施形態では、電源として用いられる電池７の残量を検出する電池残量検出部として電池電圧検出部２０を備えており、この電池電圧検出部２０で検出した電池７の電圧を、ＣＰＵ１０はＥＥＰＲＯＭ１３の所定領域に記憶させるようにしている。
【００３２】
すなわち、本実施形態に係る情報表示装置１は、表示部２と、電源として用いられる電池７の残量を検出する電池残量検出部（電池電圧検出部２０）と、省電力モード時において消費する電力の情報を記憶する電力情報記憶部（ＥＥＰＲＯＭ１３）と、前記省電力モード時に移行するときに、電池７の残量の情報と前記電力の情報とに基づいて、省電力モードからの復帰可能期限を予測する予測部と、前記予測部で予測した前記復帰可能期限を前記表示部に表示させる表示処理部と、を備えた構成となっている。そして、前述したように、この予測部、表示処理部はＣＰＵ１０が主にその機能を担っている。
【００３３】
ところで、本実施形態においては、省電力モードを、電源ボタン５ａの押下（電源ＯＦＦ操作）が行われた場合、あるいは操作部４の操作が所定時間行われなかった場合に移行するシャットダウンモードとして説明する。なお、このシャットダウンモードでは、図３に示す時計用カウンタ１７にのみ電力が供給され、それ以外の表示制御部１４、メモリカードＩ／Ｆ１６（図３）などの周辺装置及びＣＰＵ１０に対しては、電力供給が遮断される。
【００３４】
また、本実施形態の情報表示装置１は、シャットダウンモードになる前の使用状態（通常モード）、すなわち、各種ボタン５ａ〜６ｍの操作が受け付けられる状態の場合、図２（ａ）に示すように、不揮発性表示部２の左下端位置に電池７の電池残量を示す電池残量情報２ａが所謂電池メータとして表示されている。
【００３５】
そして、本実施形態の特徴となるは、通常モードから省電力モードであるシャットダウンモードに移行した場合、復帰可能期限が復帰可能期限情報２ｃとして、不揮発性表示部２の下端位置に西暦で表示されるようになっている。復帰可能期限とは電池７への充電を行うことなくユーザによる電源ボタン５ａへの操作により省電力モードから通常モードへ復帰して表示部２の表示内容の変更が行える期限である。なお、省電力モードから通常モードへの復帰は、電源ボタン５ａではなく、他の各種ボタン５ｂ〜５ｇ，６ａ〜６ｍへのユーザの操作により移行するようにしてもよい。
【００３６】
このとき、復帰可能期限情報２ｃと並んで当該情報表示装置１の電源がシャットダウンモードとなって電源ＯＦＦ状態となった電源ＯＦＦ日が電源ＯＦＦ日情報２ｂとしてこれも西暦で表示される。なお、「電源ＯＦＦ状態」とは、通常モードから省電力モードであるシャットダウンモードに移行して、ユーザの操作によって通常モードへの移行処理が行われるまでの状態をいう。
【００３７】
ここで、復帰可能期限とは、ユーザが電源ＯＦＦ状態の情報表示装置１から、電源ボタン５ａを操作して通常モードにした場合に、最低でも一回はドキュメントファイルに含まれるページデータを不揮発性表示部２に表示させて閲覧することが可能な期限である。また、復帰可能期限としては、必ずしも電池残量が極限に少なくなった状態とする必要はなく、所定回数分のページデータを不揮発性表示部２に表示させることが出来るだけの電池残量となる期限を予想した年月日としてもよい。
【００３８】
このように、復帰可能期限を省電力モード移行時に不揮発性表示部２に表示することができるため、情報表示装置１を使用している間は必要な情報のみを閲覧することが可能となる。
【００３９】
ここで、上述した電池残量情報２ａ、電源ＯＦＦ日情報２ｂ及び復帰可能期限情報２ｃについて、図２を参照してさらに説明を加える。図２は情報表示装置１の不揮発性表示部２に表示される電池残量情報２ａ、電源ＯＦＦ日情報２ｂ及び復帰可能期限情報２ｃの表示態様を説明する説明図である。
【００４０】
本実施形態における情報表示装置１の使用中（通常モード中）の電池残量は、図２（ａ）に示すように、充電式電池を電源として用いている携帯電話と同様な態様で電池残量表示がなされる。すなわち、電池残量を３段階で示す３つの区画領域が形成された電池模式図からなる電池メータを電池残量情報２ａとして表示し、電池残量に応じて区画領域の表示数を変化させて表示される。なお、３つの区画領域を有する電池メータは３段階に区分した電池残量表示を行っており、１つの区画領域は満電池容量（１１００ｍＡｈ）の略１／３に相当している。
【００４１】
ところで、図２（ｂ）に示すように、本実施形態では、省電力モードに移行するときに復帰可能期限情報２ｃを表示する場合、電池残量情報２ａ（電池メータ）の表示は消去するようにしているが、両者（復帰可能期限情報２ｃ及び電池残量情報２ａ）を同時に表示することもできる。そして、その場合は復帰可能期限を電池モータの表示に合わせることができる。
【００４２】
すなわち、本実施形態における電池メータは、図５に示すように、電池メータの３つの区画領域が全て点灯した表示の場合（電池残量表示が３本）、電池７の電池電圧は「４．２Ｖ〜３．８１Ｖ」の範囲であって、電池容量は「１１００〜７５１ｍＡｈ」の範囲にある。したがって、復帰可能期限を電池モータの表示に合わせるとすると、この場合の復帰可能期限情報２ｃとしては「５年間〜３年５ヶ月間」の範囲内で表示されることになる。
【００４３】
また、電池メータの２つの区画領域が点灯した表示の場合（電池残量表示が２本）、電池７の電池電圧は「３．８Ｖ〜３．７１Ｖ」の範囲であり、電池容量は「７５０〜３５１ｍＡｈ」の範囲にある。そして、復帰可能期限は「３年５ヶ月間〜１年７ヶ月」の範囲内で表示されることになる。
【００４４】
さらに、電池メータの１つの区画領域が点灯した表示の場合（電池残量表示が３本）、電池７の電池電圧は「３．７Ｖ〜３．１Ｖ」の範囲にあり、電池容量は「３５０〜１ｍＡｈ」の範囲にある。そして、復帰可能期限は「１年７ヶ月〜１日１６時間」の範囲内で表示されることになる。
【００４５】
そして、電池メータの全ての区画領域が消灯した表示の場合（電池残量表示が０本）であれば、電池７の電池電圧は「３．０Ｖ以下」の範囲であり、電池容量は「１ｍＡｈ未満」である。そして、復帰可能期限は「０時間」となる。
【００４６】
このように、電池残量表示に応じた使用可能時間の算出方法の一例を図５に示したが、電池電圧検出部２０で検出した電池電圧（電池残量）と復帰可能期限情報２ｃとを、より細分化して対応付けしたテーブルをＥＥＰＲＯＭ１３などに記憶させておくとよい。
【００４７】
また、本情報表示装置１は、前述したように、電力供給が断たれたときでも表示状態を維持する不揮発性表示部２を使用している。そこで、制御部として機能するＣＰＵ１０は、復帰可能期限情報２ｃを不揮発性表示部２に表示させた後に、この表示部２への電源供給を停止して電源ＯＦＦ状態へ移行することによって、この電源ＯＦＦ状態後においても不揮発性表示部２において復帰可能期限情報２ｃの表示を維持させる表示処理制御を行うようにしている。
【００４８】
このように、復帰可能期限情報２ｃの表示が維持されるため、情報表示装置１を長期間放置した後に起動させようとして起動しなかった場合などに、ユーザは表示されている復帰可能期限の期限を見て、電池切れで起動しないのか故障で起動しないのか判断する目安にすることができる。
【００４９】
［２．情報表示装置の具体的な構成］
以下、上述した情報表示装置１の具体的な構成及び動作について説明する。
【００５０】
まず、図３を参照して、情報表示装置１の具体的な電気的構成について説明する。図示するように、情報表示装置１には、前述したように、表示制御部１４、不揮発性表示部２、ＬＥＤ３、メモリカードＩ／Ｆ１６、メモリカード８、カウンタ１９、時計用カウンタ１７、電池電圧検出部２０、温度検出部２１、電池７、電源制御部１５、外部接続端子１８、ＣＰＵ１０、ＲＯＭ１１、ＲＡＭ１２、ＥＥＰＲＯＭ１３、操作部４が設けられている。
【００５１】
ＲＯＭ１１には各種情報及び情報表示装置１を動作させるプログラムが記憶されている。ＣＰＵ１０は、前記プログラムをＲＯＭ１１から読み出して実行することにより装置全体を制御する制御部として機能するとともに、電池７の残量の情報と電力の情報（図８）とに基づいて、省電力モードからの復帰可能期限を予測する予測部、さらには、この予測部で予測した復帰可能期限を不揮発性表示部２に表示させる表示処理部として機能する。
【００５２】
なお、各種情報やプログラムをＲＯＭ１１に予め記憶させておくのではなく、メモリカードＩ／Ｆ１６を介して、メモリカード８などの記憶媒体から各種情報やプログラムを取り出してＲＯＭ１１とは別にフラッシュＲＯＭ（フラッシュメモリ）を設けてそこに記憶するようにしてもよい。
【００５３】
ＲＡＭ１２は各種のデータを一時的に記憶するメモリであり、ＣＰＵ１０による制御処理時に用いられる。
【００５４】
ＥＥＰＲＯＭ１３は、上述した復帰可能期限や図８に示す省電力モード時の各消費電流などが記憶されている不揮発性のメモリである。
【００５５】
また、操作部４として、図１に示す各種ボタン５ａ〜５ｇ，６ａ〜６ｍを有している。そして、各ボタンが、ユーザにより操作された場合に、所定の検出信号をＣＰＵ１０に供給する。
【００５６】
表示制御部１４は、不揮発性表示部２への表示内容やＬＥＤ３への表示内容を制御する。この表示制御部１４には、不揮発性表示部２を構成する電気泳動表示パネルの画素電極への電圧印加を行うＴＦＴを動作させる後述のゲートドライバ及びソースドライバを制御するためのＦＰＧＡ、パネル駆動に必要な電源生成部（ＤＣ−ＤＣコンバータなど）等が備えられている。本実施形態における表示制御部１４は、不揮発性表示部２に表示される表示内容の書き換え処理を行うとともに、前述した復帰可能期限を不揮発性表示部２に表示させる表示処理部として機能することになる。
【００５７】
また、本実施形態における情報表示装置１は、外部電源であるＡＣアダプタから電力供給を受けていない場合には電池７の電力で駆動され、外部接続端子１８にＡＣアダプタなどが接続されて電力供給を受けている場合にはＡＣアダプタの電力で駆動されるように電源制御部１５により制御される。
【００５８】
この電源制御部１５は、外部接続端子１８にＡＣアダプタが接続されこのＡＣアダプタから電力供給を受けている場合には、電池７を充電する充電部、及び電池７の充電完了を検出する充電完了検出部として機能する。
【００５９】
また、メモリカード８には、複数の電子書籍のドキュメントファイルが記憶されており、メモリカードＩ／Ｆ１６は、メモリカード８から電子書籍のドキュメントファイルに含まれるページデータを読み取り、書き込みを制御する。ＣＰＵ１０は、メモリカードＩ／Ｆ１６を制御してメモリカード８から電子書籍のドキュメントファイルのタイトルやページデータなどの情報を読み取り、不揮発性表示部２に表示させる制御を行う。
【００６０】
カウンタ１９は、ＣＰＵ１０の開始指示に従い所定の時間をカウントする。このカウンタ１９は本実施形態における書き換え処理を行っていない時間をカウントするカウント部として機能するものである。
【００６１】
時計用カウンタ１７は、情報表示装置１における時間を計時するためのものであり、常に所定の電力が供給されている。
【００６２】
電池電圧検出部２０は、電池７の電圧を測定するためのものであり、例えば、電池７の電圧を０．０１Ｖ単位で測定できる機能を有し、測定した電圧値をＣＰＵ１０に供給する。そして、この電池電圧検出部２０により検出した電池電圧の値によって電池残量の検出が行うことができる。
【００６３】
温度検出部２１は、電池７の温度を測定するためのものであり、例えば、電池７の温度及び周辺温度を測定して、測定した温度値をＣＰＵ１０に供給する。
【００６４】
［２．２  情報表示装置１の具体的動作］
本実施形態における情報表示装置１は、省電力モード、すなわちシャットダウンモード移行時に、復帰可能期限情報２ｃを不揮発性表示部２に表示することができるようになっている。ここで、本実施形態における情報表示装置１の復帰可能期限算出処理について、図４を参照して説明する。図４は復帰可能期限算出処理の流れを示す説明図である。
【００６５】
復帰可能期限算出処理は、ユーザにより情報表示装置１が電源ＯＦＦ操作が行われた場合、または、所定時間操作が行われなかった場合（オートパワーオフの場合）に、省電力モード（シャットダウンモード）からの復帰可能期限を算出して、復帰可能期限の年月日とシャットダウンモードに移行して電源ＯＦＦ状態となった年月日とを不揮発性表示部２へ表示するものである。かかる復帰可能期限算出処理を行うＣＰＵ１０は、省電力モードからの復帰可能期限を予測する予測部として機能することになる。
【００６６】
ところで、本実施形態においては、情報表示装置１が電源ＯＦＦ状態が長期間継続した場合、所定期間毎に電池７の電圧を測定して、再度、省電力モードからの復帰可能期限を算出して、不揮発性表示部２へ表示する復帰可能期限の年月日を更新するようにしている。
【００６７】
また、不揮発性表示部２へ表示する復帰可能期限の年月日を更新する際に、温度検出部２１により電池７の温度を検出して、検出された電池７の温度変化が予め規定された条件を満たした場合に、再度省電力モードからの復帰可能期限を算出して予測して復帰可能期限の年月日を更新することもできる。なお、かかる温度変化に基づいた復帰可能期限の更新処理については後に詳述する。
【００６８】
図４に示すように、情報表示装置１のＣＰＵ１０は、まず、ＣＰＵポートに所定の割り込み入力があるか否かを判断し、所定の割り込み入力がないと判別した場合（ステップＳ１０１：ＮＯ）はステップＳ１０２に処理を移す。一方、所定の割り込み入力があると判別した場合（ステップＳ１０１：ＹＥＳ）はステップＳ１０９へ処理を移す。
【００６９】
このステップＳ１０１において判断されるＣＰＵポートへの所定の割り込み入力は、電源ＯＦＦ状態でも常に動作している時計用カウンタ１７が所定期間（例えば、２０日）経過したことを条件として、自動的にＣＰＵ１０に対して電源を供給すると共に、ＣＰＵポートへ所定の割り込みを入力することで、ＣＰＵ１０に所定期間が経過したことを知らせて、不揮発性表示部２へ表示する復帰可能期限の年月日を更新するためのものである。
【００７０】
なお、この時計用カウンタ１７で計時する所定期間は、予めユーザにより所定期間（例えば、１日毎、１週間毎、１ヶ月毎など）が設定可能であり、また、ユーザによる設定が行われなかった場合は、予め定められた初期値（例えば、１０日間）が用いられることになる。
【００７１】
ステップＳ１０２において、ＣＰＵ１０は、画面書き換え指示が入力されたか否かを判断する。そして、画面書き換え指示が入力されたと判別した場合（ステップＳ１０２：ＹＥＳ）はステップＳ１０３へ処理を移す一方、画面書き換え指示が入力されていないと判別した場合（ステップＳ１０２：ＮＯ）は、ステップＳ１０５へ処理を移す。
【００７２】
このステップＳ１０２の処理では、ＣＰＵ１０は、情報表示装置１の操作部４の各種ボタン（メニューボタン５ｂ、縮小ボタン５ｃ、拡大ボタン５ｄ、ページ送り次ボタン５ｆ，ページ送り前ボタン５ｇなど）のいずれかのユーザによる操作を監視している。
【００７３】
画面書き換え指示が入力されたと判別した場合（ステップＳ１０２：ＹＥＳ）、ＣＰＵ１０は、画面の書き換え処理を実行する（ステップＳ１０３）。つまり、画面書き換え指示が入力された場合は、メモリカード８に記憶されている複数の電子書籍のドキュメントファイルから、ユーザが選択した任意の電子書籍のドキュメントファイルをメモリカードＩ／Ｆ１６を介して読み込んで当該ドキュメントファイルに含まれるページデータを不揮発性表示部２に表示させて書き換える。あるいは、各種ボタンの操作に対応した画面表示処理を行う。
【００７４】
そして、ＣＰＵ１０は、カウンタ１９に対してリセットを指示する（ステップＳ１０４）。つまり、画面書き換え指示が入力された場合は、自動的に情報表示装置１をシャットダウンモードへ移行（オートパワーオフ）するための監視時間をリセットする。そして、この処理が終了するとステップＳ１０５へ処理を移行する。
【００７５】
一方、画面書き換え指示が入力されていないと判別した場合（ステップＳ１０２：ＮＯ）のステップＳ１０５において、ＣＰＵ１０は、カウンタ１９の計測を開始してステップＳ１０６へ処理を移す。
【００７６】
ステップＳ１０６において、ＣＰＵ１０は、カウンタ１９が所定時間（例えば、１０分）計時したか否かを判断する。そして、所定時間計時していないと判別した場合（ステップＳ１０６：ＮＯ）はステップＳ１０７へ処理を移す。一方、所定時間計時したと判別した場合（ステップＳ１０６：ＹＥＳ）はステップＳ１０８へ処理を移す。このステップＳ１０８において判断される所定時間は、画面書き換え指示が入力されない状態を監視する時間であり、本実施形態においては、所定時間（例えば、１０分）画面書き換え指示が入力されない状態を検出すると、自動的に情報表示装置１はオートパワーオフされる。
【００７７】
なお、このカウンタ１９で計時する所定時間は、予めユーザにより所定時間（例えば、分単位で５分、１５分、３０分など）が設定可能であり、また、ユーザによる設定が行われなかった場合は、予め定められた初期値（例えば、１０分）が用いられることになる。
【００７８】
ステップＳ１０７において、ＣＰＵ１０は、電源ボタン５ａの操作（電源ＯＦＦの指示）が入力されたか否かを判断する。そして、電源ボタン５ａが操作されていないと判別した場合（ステップＳ１０７：ＮＯ）はステップＳ１０２へ処理を移す。一方、電源ボタン５ａが操作されたと判別した場合（ステップＳ１０７：ＹＥＳ）はステップＳ１０８へ処理を移す。
【００７９】
ステップＳ１０８において、ＣＰＵ１０は、カウンタ１９に対してリセットと停止を指示する。つまり、自動的に情報表示装置１をオートパワーオフするための監視時間をリセットするとともにカウンタ１９を停止させる。そして、この処理が終了するとステップＳ１０９へ処理を移行する。
【００８０】
ステップＳ１０９において、ＣＰＵ１０は、電池７の電圧を検出する。この処理では、電池電圧検出部２０で検出した電池７の電圧を、ＲＡＭ１２の所定の領域に記憶する。そして、この処理が終了するとステップＳ１１０へ処理を移す。
【００８１】
ステップＳ１１０において、ＣＰＵ１０は復帰可能期限を算出する。この復帰可能期限の算出では、ステップＳ１０９で検出した電池７の電圧に基づいた電池７の電池残量を決定する。そして、決定した電池残量と電源ＯＦＦ状態における消費電流（図８参照）とから復帰可能期限を算出する。
【００８２】
ここで、上記復帰可能期限の算出をより具体的に説明する。例えば、電源ＯＦＦ日が「２００９／０８／０１」、この時の電池７の電圧は「３．９０Ｖ」、電池残量は「９００ｍＡｈ」、シャットダウンモードの消費電流「０．０２５ｍＡ」とすると、『９００ｍＡｈ（電池残量）÷０．０２５ｍＡ（シャットダウンモードの消費電流）＝３６０００ｈ』となり、電源ＯＦＦ日「２００９／０８／０１」に「３６０００ｈ」を加算すると、復帰可能期限は「２０１３／１０／０１」となる（図２（ｂ）参照）。
【００８３】
また、本実施形態においては、電池７の温度は２０℃と仮定した放電負荷特性（図６参照）を用いて、電池７の電圧に応じて電池残量を決定したが、電池７に用いられるリチウムイオン電池は、周辺温度によってその放電負荷特性が変化するものである。そこで、本実施形態では、電池７の温度を検出するための温度検出部２１を備えているため、例えば、周辺温度が０℃の場合、図７に示す電池７の温度が０℃の場合の放電負荷特性にあわせて電池７の電圧に基づいた電池残量を決定する。つまり、電池７の温度に応じた電圧と電池残量を複数記憶しておき、情報表示装置１を使用する際の電池７の温度に応じた放電負荷特性に基づいて復帰可能期限を決定することができる。
【００８４】
さらに、ステップＳ１１０の復帰可能期限算出処理では、ＣＰＵ１０は、現在の日時を時計用カウンタ１７から読み出して、電源ＯＦＦ日を算出して、復帰可能期限とともにＥＥＰＲＯＭ１３に記憶する。そして、この処理が終了するとステップＳ１１１へ処理を移す。
【００８５】
ステップＳ１１１では、ＣＰＵ１０は、ステップＳ１０９で算出された電源ＯＦＦ日及び復帰可能期限を、それぞれ不揮発性表示部２に電源ＯＦＦ日情報２ｂ及び復帰可能期限情報２ｃ（図２（ｂ）参照）として表示させて書き換え可能回数算出処理を終了する。
【００８６】
上述してきた実施形態によれば、電池７への充電を行うことなく不揮発性表示部２の表示内容の変更が行える復帰可能期限を、表示画面に復帰可能期限情報２ｃとして表示してこれを保持しておくことで、情報表示装置１をシャットダウンモードによる電源ＯＦＦ状態で長期間放置しておいても、ユーザは表示されている復帰可能期限情報２ｃを見ることにより、例えば、情報表示装置１が起動しないことがあっても、それが電池切れで起動しないのか、あるいは故障で起動しないのかの判断の目安にすることができる。
【００８７】
なお、情報表示装置１の電源ＯＮ状態の場合、電池７の電池残量を示す電池残量情報２ａとして、図２（ａ）に示すように、電池の図柄を模した電池メータで表示する一方、電源ＯＦＦ状態（シャットダウンモード）では電源ＯＦＦ日情報２ｂ及び復帰可能期限情報２ｃ（図２（ｂ）参照）を表示するようにしているが、前述したように、電源ＯＦＦ状態では電池残量情報２ａ（電池メータ）を消去してもよいし、電源ＯＦＦ日情報２ｂ及び復帰可能期限情報２ｃと一緒に同時に表示してもよい。
【００８８】
また、本実施形態においては、電池７の満充電容量は、充電完了時は一定（例えば、１１００ｍＡｈ）として復帰可能期限を算出するようにしている。しかし、電池７にリチウムイオン電池を用いた場合は、リチウムイオン電池の充放電サイクル特性は約３００回の充放電を行うと、新品の時と比較して約２０％充電容量が低下する。そして、一般には３００回の充放電がリチウムイオン電池の使用限界として設定されることが多い。このため、リチウムイオン電池の充放電サイクル特性を考慮して、例えば、電池７の満充電の回数をカウントして、３０回毎に充電残量を２％減少させて復帰可能期限を算出するようにするとよい。そして、電池７の満充電の回数をカウントすることで、充電の回数が３００回に到達した時点で、不揮発性表示部２において、ユーザに電池交換を促すメッセージなどを表示することも可能である。
【００８９】
また、本実施形態においては、電池７としてリチウムイオン電池を用いる場合で説明してきたが、これに限定されるものではなく、充電可能な二次電池として、ニッカド電池、ニッケル水素電池などを用いてもよい。そして、その場合は、用いられた二次電池の放電負荷特性、充放電サイクル特性、充電特性に応じて書き換え可能回数を算出することで、復帰可能期限情報２ｃを正確に表示することができる。
【００９０】
また、本実施形態においては、電池７の電圧に基づき電池残量を予測するようにしたが、これに限定されるものではなく、例えば、クーロンカウンタなどを用いて、電池７から放出される電流（電荷）に基づき電池残量を予測してもよい。
【００９１】
また、上述の実施形態においては、電池電圧検出部２０が電池残量として電池の電圧を検出し、電池の電圧に応じた復帰可能期限を表示するようにしたが、これに限られない。例えば、ＥＥＰＲＯＭ１３に電池電圧と電池残量との第１関係テーブルを記憶しておき、電池電圧検出部２０が検出した電池電圧をこの関係テーブルに基づいて電池残量に変換する。また、ＥＥＰＲＯＭ１３に電池残量と復帰可能期限情報２ｃとの第２関係テーブルを記憶しておき、この第２関係テーブルに基づき、電池電圧検出部２０が検出した電池電圧から変換した電池残量に対応する復帰可能期限を導くようにする。
【００９２】
また、表示パネルとして不揮発性表示パネルを用いずに、揮発性表示パネルを用いたときには、揮発性表示パネルに復帰可能期限を一定時間（例えば、１０秒）だけ表示した後に、省電力モードに移行する。
【００９３】
ここで、本実施形態の情報表示装置１において、動作モードを、例えば、書き換えモード、スリープモード、ディープスリープモード、シャットダウンモードの４種類を設けている。そして、情報表示装置１では、操作部４の操作による設定により、シャットダウンモードの他、スリープモード、ディープスリープモードを、移行時に復帰可能期限を表示する省電力モードとすることもできる。なお、書き換えモードは、不揮発性表示部２に表示するドキュメントファイルのページデータを書き換えるための動作モードであり、この書き換えモードでは、例えば、不揮発性表示部２、表示制御部１４、メモリカードＩ／Ｆ１６（図３参照）などの周辺装置及びＣＰＵ１０に対する電力供給が制限されない。
【００９４】
スリープモードは、書き換えモードで書き換え処理が終わると直ちに移行するモードあり、ディープスリープモードは、スリープモードで所定時間（例えば、３秒）経過すると移行するモードである。また、ディープスリープモードで所定時間（例えば、２時間）経過するとシャットダウンモードに移行してオートパワーオフとなる。
【００９５】
スリープモードでは、図３に示す表示制御部１４やメモリカードＩ／Ｆ１６などの周辺装置への電流の供給を制限して省電力を図っている。また、ディープスリープモードでは、図３に示す表示制御部１４、メモリカードＩ／Ｆ１６などの周辺装置及びＣＰＵ１０に対する電流の供給を制限して、スリープモードよりもさらに省電力を図っている。
【００９６】
情報表示装置１のＥＥＰＲＯＭ１３には、図８に示すよう各モードの消費電力の情報が記憶されており、書き換えモード時の消費電流は３００ｍＡ、スリープモード時の消費電流は２５ｍＡ、ディープスリープモード時の消費電流は２．５ｍＡである。シャットダウンモード時の消費電流は０．０２５ｍＡである。
【００９７】
上述においては、移行時に復帰可能期限を表示する省電力モードとして、シャットダウンモードを例に挙げて説明したが、シャットダウンに代えてディープスリープモードを復帰可能期限を表示する省電力モードとしてもよい。
【００９８】
復帰可能期限を表示する省電力モードをディープスリープモードとする場合、ＣＰＵ１０は、ディープスリープモードがシャットダウンモードに移行するまでの所定時間（例えば、２時間）で消費する消費電力と、その後にシャットダウンモードに移行した後に消費する消費電力から復帰可能期限を算出する。このとき、ＣＰＵ１０は、ＥＥＰＲＯＭ１３に記憶した上述した第１関係テーブルに基づいて電池残量を検出し、各モードの消費電力の情報（図８参照）と電池７の残量の情報とに基づいて、復帰可能期限を算出することができる。例えば、例えば、電源ＯＦＦ日が「２００９／０８／０１」、この時の電池７の電圧は「３．９０Ｖ」、電池残量は「９００ｍＡｈ」とすると、『（９００ｍＡｈ（電池残量）−２．５ｍＡ×２（ディープスリープモードの消費電力））÷０．０２５ｍＡ（シャットダウンモードの消費電流）＝３５８００ｈ』となり、電源ＯＦＦ日「２００９／０８／０１」に「３５８００ｈ」を加算すると、復帰可能期限は「２０１３／９／２２」となる。このように設定することにより、ディープスリープモードの状態でもそのまま放置した場合の復帰可能期限を把握することができる。また、同様に、移行時に復帰可能期限を表示する省電力モードとして、シャットダウンモードに代えて、スリープモードを復帰可能期限を表示する省電力モードとしてもよい。
【００９９】
このように、移行時に復帰可能期限を表示する省電力モードを一つモードのみにしてもよく、また複数のモードを含むようにしてもよい。なお、省電力モードは上記に限られず、例えば、次の状態（ａ）〜（ｄ）のいずれか、若しくは、状態（ａ）〜（ｃ）の組み合わせの状態、若しくは、（ｂ）〜（ｄ）の組み合わせの状態を、移行時に復帰可能期限を表示する省電力モードとしてもよい。
（ａ）ＣＰＵ１０の電力供給が停止された状態。
（ｂ）少なくともいずれか一つの周辺機器（例えば、ＲＡＭ１２、メモリカードＩ／Ｆ１６、表示制御部１４、不揮発性表示部である表示部２等）の電力供給が停止された状態。
（ｃ）少なくともいずれか一つの周辺機器の動作モードが通常時よりも消費電力の少ない省電力モード。
（ｄ）ＣＰＵ１０の動作モードが通常時よりも消費電力の少ない省電力モード。
【０１００】
本発明を、上述してきた実施形態を通して説明したが、本実施形態の情報表示装置１によれば、以下の効果が期待できる。
【０１０１】
（１）不揮発性表示部２（表示部）と、電源として用いられる電池７の残量を検出する電池電圧検出部２０（電池残量検出部）と、不揮発性表示部２への電力供給を停止して当該不揮発性表示部２の表示内容の変更を行わない省電力モード時において消費する電力の情報を記憶するＲＯＭ１１やＥＥＰＲＯＭ１３などからなる電力情報記憶部と、省電力モード時に移行するときに、電池７の残量の情報と前記電力の情報とに基づいて、省電力モードからの復帰可能期限を予測する予測部としての機能を担うＣＰＵ１０と、ＣＰＵ１０（予測部）で予測した復帰可能期限を表示部に表示させる表示制御部１４（表示処理部）と、を備えた構成としているため、ユーザは情報表示装置１の省電力モードにおける復帰可能期限を知ることができる。また、情報表示装置を使用している間は必要な情報を集中して閲覧することが可能となる。
【０１０２】
（２）不揮発性表示部２は、電源からの電力供給が断たれたときでも表示状態を維持するため、表示制御部１４は、復帰可能期限を不揮発性表示部２に表示させた後に、不揮発性表示部２への電源供給を停止して省電力モードへ移行することによって、省電力モードにおいても不揮発性表示部２において復帰可能期限の表示を維持させるので、例えば、情報表示装置１を長期間放置しておいて、その後、起動しなかった場合などに、ユーザは表示されている復帰可能期限の期限を見て、電池切れで起動しないのか故障で起動しないのか判断する目安にすることができる。また、復帰可能期限の表示の維持を電力を消費することなく行える。
【０１０３】
（３）省電力モードには、消費電力が異なる複数のモードを含み、ＲＯＭ１１やＥＥＰＲＯＭ１３は（電力情報記憶部は）、各モードの消費電力の情報（図８）を記憶し、ＣＰＵ１０（予測部）は、各モードの消費電力の情報と電池７の残量の情報とに基づいて、復帰可能期限を予測するので、例えば、各モードの消費電力に応じた復帰可能期限を表示することができる。
【０１０４】
（４）予測部として機能するＣＰＵ１０は、省電力モード時において復帰可能期限を予測し、表示制御部１４（表示処理部）は、不揮発性表示部２に表示する復帰可能期限を、省電力モード時において予測部が予測した復帰可能期限に更新するので、例えば、ユーザは最新の復帰可能期限を把握することができる。
【０１０５】
（５）予測部として機能するＣＰＵ１０は、省電力モード時において定期的に復帰可能期限を予測し、表示制御部１４（表示処理部）は、省電力モード時において予測部が復帰可能期限を予測する度に、不揮発性表示部２に表示させる復帰可能期限を更新するので、例えば、ユーザが情報表示装置１を長期間使用しない場合でも、正確な復帰可能期限を把握することができる。
【０１０６】
（６）電池７の温度を検出する温度検出部２１を備え、予測部として機能するＣＰＵ１０は、前記省電力モード時において温度検出部２１により検出した電池７の温度又は温度変化が予め規定された条件を満たすときに復帰可能期限を予測し、表示制御部１４（表示処理部）は、省電力モード時において復帰可能期限を予測したときに、不揮発性表示部２に表示させる復帰可能期限を更新することで、例えば、ユーザが情報表示装置１を長期間温度変化の大きい場所に放置していた場合でも、正確な復帰可能期限を把握することができる。
【０１０７】
（７）電池電圧検出部２０（電池残量検出部）は、電池７の残量として電池７の電圧を検出するので、電池７の現在の電圧に応じた電池７の電池残量を容易かつ的確に検出することができる。
【０１０８】
以上、本発明の実施形態のいくつかを図面に基づいて詳細に説明したが、これらは例示であり、当業者の知識に基づいて種々の変形、改良を施した他の形態で本発明を実施することが可能である。
【符号の説明】
【０１０９】
１  情報表示装置
２  不揮発性表示部
４  操作部
７  電池
８  メモリカード
１０  ＣＰＵ
１１  ＲＯＭ
１２  ＲＡＭ
１３  ＥＥＰＲＯＭ
１４  表示処理部
１５  電源制御部
１７  時計用カウンタ
１９  カウンタ
２０  電池電圧検出部
２１  温度検出部
【図１】
2011033845.tif 000003
【図２】
2011033845.tif 000004
【図３】
2011033845.tif 000005
【図４】
2011033845.tif 000006
【図５】
2011033845.tif 000007
【図６】
2011033845.tif 000008
【図７】
2011033845.tif 000009
【図８】
2011033845.tif 000010